(57)【特許請求の範囲】
【請求項１】
門型に形成された洗車機本体内に、洗浄ブラシ，散水ノズル，乾燥ノズル等の洗車処理装置を備え、洗車機本体または自動車の往復走行に伴い、自動車車体の洗浄，乾燥等の処理を行う洗車機であって、上面洗浄ブラシを備え、一方向への走行を一単位の工程として、前記上面洗浄ブラシを含む洗浄ブラシによる洗浄工程を行った後、乾燥ノズルによる乾燥工程を行う洗車機において、
前記上面洗浄ブラシの回転数を制御する手段を備え、該制御手段は、乾燥工程時に、前記上面洗浄ブラシを該ブラシに含まれる洗浄水が水滴となって滴下しないような微速で回転することを特徴とする洗車機。
【請求項２】
門型に形成された洗車機本体内に、洗浄ブラシ，散水ノズル，乾燥ノズル等の洗車処理装置を備え、洗車機本体または自動車の往復走行に伴い、自動車車体の洗浄，乾燥等の処理を行う洗車機であって、上面洗浄ブラシを備え、一方向への走行を一単位の工程として、前記上面洗浄ブラシを含む洗浄ブラシによる洗浄工程を行った後、乾燥ノズルによる乾燥工程を行う洗車機において、
前記上面洗浄ブラシの回転数を制御する手段を備え、該制御手段は、乾燥工程終了後の所定期間、前記上面洗浄ブラシを該ブラシに含まれる洗浄水が水滴となって滴下しないような微速で回転することを特徴とする洗車機。
【請求項３】
請求項１〜２に記載の洗車機において、前記上面洗浄ブラシは布状の毛材で構成されることを特徴とする洗車機。
【発明の詳細な説明】
【０００１】
【産業上の利用分野】
本発明は、門型に形成された洗車機本体内に、洗浄ブラシ，散水ノズル，乾燥ノズル等の洗車処理装置を備え、洗車機本体または自動車の走行に伴い、自動車車体に対して洗浄，乾燥等の処理を順次施す洗車機に関する。
【０００２】
【従来の技術】
この種の洗車機では、例えば、一方向に向けて走行しながら、散水ノズルから洗浄水を散水し洗浄ブラシによる洗浄を行い、この洗浄工程が終了した後、乾燥工程として、反対方向に走行しながら乾燥ノズルによる乾燥を行っている。この乾燥工程時に、洗浄工程時に上面洗浄ブラシに付着した洗浄水が自動車車体上に滴下し、乾燥ノズルによる乾燥の効果を落とす原因となる。このような問題を解決するために、特公平５−１２１８１に示すように、洗浄工程が終了した後、上面洗浄ブラシを回転させて水切り動作を行い、上面洗浄ブラシに付着した洗浄水を払い飛ばした後に乾燥工程を行い、乾燥工程時の上面洗浄ブラシからの洗浄水の滴下を防ぐ方法が考えられている。
【０００３】
【発明が解決しようとする課題】
しかしながら、この方法を採っても、上面洗浄ブラシに残っている水分を完全には払い飛ばすことができず、乾燥工程時には、上面洗浄ブラシに残った洗浄水が時間の経過と共に水滴となって自動車車体に落下し、自動車車体に沿って下降している上面乾燥ノズルの上を飛び越えて飛散して自動車車体に付着し、乾燥効果を落としている。
【０００４】
また、ドライブスルー洗車機のように、自動車が洗車スペースに進入し、洗車を行い、洗車が終了した後に自動車が洗車機をくぐり抜けて洗車スペースより退出するような構成を採る洗車機の場合においては、自動車が洗車機をくぐり抜けて行くときに上面洗浄ブラシから水滴が落下し、乾燥が終わった自動車車体を再び濡らしてしまうことになる。
【０００５】
【課題を解決するための手段】
このような問題を解決するために本発明は、門型に形成された洗車機本体内に、洗浄ブラシ，散水ノズル，乾燥ノズル等の洗車処理装置を備え、洗車機本体または自動車の往復走行に伴い、自動車車体の洗浄，乾燥等の処理を行う洗車機であって、上面洗浄ブラシを備え、一方向への走行を一単位の工程として、前記上面洗浄ブラシを含む洗浄ブラシによる洗浄工程を行った後、乾燥ノズルによる乾燥工程を行う洗車機において、前記上面洗浄ブラシの回転数を制御する手段を備え、該制御手段は、乾燥工程時に、前記上面洗浄ブラシを該ブラシに含まれる洗浄水が水滴となって滴下しないような微速で回転するようにしたものである。
【０００６】
また、本発明は、門型に形成された洗車機本体内に、洗浄ブラシ，散水ノズル，乾燥ノズル等の洗車処理装置を備え、洗車機本体または自動車の往復走行に伴い、自動車車体の洗浄，乾燥等の処理を行う洗車機であって、上面洗浄ブラシを備え、一方向への走行を一単位の工程として、前記上面洗浄ブラシを含む洗浄ブラシによる洗浄工程を行った後、乾燥ノズルによる乾燥工程を行う洗車機において、前記上面洗浄ブラシの回転数を制御する手段を備え、該制御手段は、乾燥工程終了後の所定期間、前記上面洗浄ブラシを該ブラシに含まれる洗浄水が水滴となって滴下しないような微速で回転するようにしたものである。
【０００７】
また、本発明は、この上面洗浄ブラシが布状の毛材で構成されることを特徴とする。
【０００８】
【作用】
上面洗浄ブラシを微速で回転させておくと、上面洗浄ブラシの下方に水がたまり水滴となって落下する前に上面洗浄ブラシが回転して、たまった水滴は回転につれて新しく下方になった部分に向かっていくので、水を落下させることなく上面洗浄ブラシに保持でき、乾燥工程で自動車車体に水滴となって落下することを防げ、乾燥性能を向上させることができる。
【０００９】
また、乾燥工程終了後の所定期間、上面洗浄ブラシの微速での回転を続けておくと、ドライブスルー洗車機のように、洗車終了後自動車が洗車機をくぐり抜けて退出するような場合でも、その間に上面洗浄ブラシから水滴が落下するのを防ぐことができる。
【００１０】
また、特に近年、自動車車体を傷つけず洗浄効果を高くするものとして、従来からの樹脂製の毛から構成される毛材を用いた洗浄ブラシに変わり、布状の毛材で構成される洗浄ブラシを用いるようになっているが、この布状の毛材の場合は含まれている水がすぐには滴下せず、時間の経過と共にゆっくりと溜まり水滴となって落下するので、上面洗浄ブラシをゆっくりと回転させておくと、水滴の落下防止の効果が高くなる。
【００１１】
【実施例】
以下、図面を基に、本発明の実施例について説明する。図１は本発明の実施例の側面図、図２は本発明の実施例の正面図である。図において、１は自動車車体を跨ぐように門型状に形成した洗車機本体で、正転逆転可能な電動機４，４により、車輪２，２を回転駆動して、レール３，３に沿って往復走行する。
【００１２】
５は、洗車機走行位置を検出するロータリーエンコーダーで、電動機４の出力軸に連結し、電動機４の回転方向を検出しながら単位角度回転毎にパルス信号を出力して洗車機本体１の走行位置を与えている。
【００１３】
６は、洗車機位置を検出する位置センサ−で、洗車機本体１下部に設けられ、レール３敷設面に固定された突起物であるドッグ７を感知してスイッチングし、洗車機本体１の位置を与えている。ドッグ７は洗車機本体の走行開始位置を与える。
【００１４】
８は車体上面に沿って上下する上面洗浄ブラシ、９，９は車体側面に沿って開閉する側面洗浄ブラシ、１０，１１，１１は散水ノズル、１２は上面乾燥ノズル、１３，１３は側面乾燥ノズルで、洗車機本体１の往復走行に伴って、車体の洗浄，乾燥等の処理を行う洗車処理装置を構成する。
【００１５】
投光器１４ａ，１５ａ，１６ａ，１７ａ、受光器１４ｂ，１５ｂ，１６ｂ，１７ｂは光電スイッチで、洗車機で洗浄する自動車車体の高さを検出する。自動車車体は、投光器から発光され受光器で受光される光を、自動車車体が遮ることにより検出される。１４ａ，１４ｂは車両下部を、１５ａ，１５ｂは普通車ルーフ位置を、１６ａ，１６ｂはワゴン車ルーフ位置を、１７ａ，１７ｂは、洗車機では洗車できない高さの自動車車高を検出する。
【００１６】
投光器３２ａ、受光器３２ｂは光電スイッチで、洗車機での洗浄が終了し、洗車機本体１をくぐり抜けて退出する自動車が、洗車機本体１より完全に退出したことを検出する。自動車が退出したことの検出は、投光器から発光され受光器で受光される光が退出する自動車車体により遮られ、自動車車体の通過により再び受光器で受光されるのを検出することにより行われる。
【００１７】
図３は、上面洗浄ブラシの構成を示す説明図である。上面洗浄ブラシ８は、ブラシアーム１８，１８の一端にその両側を支持され、ブラシアーム１８，１８の揺動に従って上下動する。ブラシアーム１８，１８に一体に設けられた支軸１９，１９は、門型フレーム１の内方両側に固定される軸受２０，２０により支持されている。支軸１９の一方には、エアシリンダ２１が連結され、上面洗浄ブラシ８は、エアシリンダ２１の作動に伴い上昇する。エアシリンダ２１の作動が解かれると、上面洗浄ブラシ８は重力バランスにより下降し、この状態で自動車車体に接触すると、ブラシアーム１８，１８が上方に揺動して、上面洗浄ブラシ８は自動車車体上面をなぞるように移動する。
【００１８】
一方のブラシアーム１８には、上面洗浄ブラシ８を支持する側と支軸１９に対して反対の側に、上面洗浄ブラシ８を駆動する正逆回転可能なモータ２２が取り付けられている。なお、図示しないが、このブラシアーム１８内には、上面洗浄ブラシ８およびモータ２２のそれぞれと連結するスプロケットと、この両スプロケットに掛け渡されたチェーンとが備えられている。他方のブラシアーム１８には、やはり上面洗浄ブラシ８を支持する側と反対の側に、ウエイト２３が取り付けられており、上面洗浄ブラシ８の揺動負荷を軽くしている。
【００１９】
図４は本発明の実施例の上面洗浄ブラシの構成を示した説明図である。毛材とする布２９は、図４（ａ）に示すように所定の幅にカットされた長尺な布地に所定寸法毎に切り込み３０が入れられており、この各切り込み３０の先端部には、切り込みの拡張を防止するためのストップホール３０ｈが穿孔されている。この切り込み３０の間毎に切り込み側の縁を山折り（図４における点線部）と谷折り（図４における一点鎖線部）とを交互に繰り返して折り重ね、それぞれ扇状とした上で折り重ねた部分を図４（ｂ）のようにブラシの心材となるパイプ３１にリベット止めされている。
【００２０】
布２９は、パイプ３１を一周する間に９０度おきに４カ所でリベット止めされており、またリベット止め箇所は所定寸法づつ上下にずらしてパイプ３１に対し螺旋状に配され、この結果、連続した長尺の布地がパイプ３１に対して螺旋状に巻き付けられ、図４（ｃ）のように完成される。このように、布２９を螺旋状にすることにより、ブラシが回転すると、布２９の外周を形成する端縁が車体に対し連続した軌跡を描いて接することになり、洗い残しの無いブラッシングが可能になる。
【００２１】
図５は実施例の制御系を示すブロック図である。２４はマイクロコンピューターで、演算処理を行うＣＰＵ２５、プログラム及び各種データを記憶するメモリ２６、及び入出力インターフェース２７より成り、入出力インターフェース２７には、走行位置検出用ロータリーエンコーダー５、位置センサー６、電動機４，４、上面洗浄ブラシ昇降用エアシリンダー２１、上面洗浄ブラシ回転用モータ２２、側面洗浄ブラシ９、散水ノズル１０，１１、上面乾燥ノズル１２、側面乾燥ノズル１３、車高測定用光電スイッチ１４ａ，１４ｂ，１５ａ，１５ｂ，１６ａ，１６ｂ，１７ａ，１７ｂ、退出検出用光電スイッチ３２ａ，３２ｂが接続される。
【００２２】
２８は上面洗浄ブラシの回転数を制御する手段であるインバーターで、入出力インターフェース２７に接続され上面洗浄ブラシ回転用モータ２２に供給する電源の周波数を変更してモータ２２の回転数を変え、上面洗浄ブラシ８の回転数を適宜変更する。
【００２３】
次に、本発明の実施例の動作について説明する。実施例では、１回目の往方向への走行で洗浄工程を行い、１回目の復方向への走行で乾燥工程を行う１往復の洗車について説明する。１回目の往方向への走行で行われる洗浄工程では、まず、自動車Ａが所定の位置に停止し、洗車機本体１が洗車開始位置から走行を開始する。洗車機本体１は、光電スイッチ１４ａ，１４ｂ，１５ａ，１５ｂ，１６ａ，１６ｂ，１７ａ，１７ｂで、自動車Ａの車体の高さを検出し、この車高をロータリーエンコーダー５で検出される洗車機本体１の走行位置に対応させてメモリ２６に記憶することで車形を検出する。洗車機は、この車形データに応じて散水ノズル１０，１１，１１から洗浄水を散水し、上面洗浄ブラシ８，側面洗浄ブラシ９，９を回転させて自動車Ａ車体に接触させて作用させ、自動車Ａ車体の洗浄を行う。例えば上面洗浄ブラシ８は、図６（ａ），（ｂ），（ｃ）に示すように、洗車機本体１の走行に従って自動車Ａ車体の上面形状に沿って移動し、自動車Ａ車体の洗浄を行う。自動車Ａ車体の後端面まで洗浄が行われると、洗車機本体１は走行を停止し、散水ノズルからの散水を停止し、洗浄ブラシの回転を停止し所定の位置に戻す。洗浄工程を終了する。
【００２４】
洗浄工程が終了すると、洗車機は乾燥工程を行う。１回目の復方向への走行で行われる乾燥工程では、乾燥ノズルより高圧風を自動車Ａ車体に向けて吹き付け、自動車Ａ車体に付着した洗浄水を吹き飛ばして自動車Ａ車体の乾燥を行う。例えば上面乾燥ノズル１２は、図７（ａ），（ｂ），（ｃ）に示すように、洗車機本体１の走行に従って自動車Ａ車体の上面形状に沿って移動し、自動車Ａ車体の乾燥を行う。洗車機本体１が洗車開始位置まで戻ったら、洗車機本体１は走行を停止し、乾燥ノズルからの高圧風の吹き付けを停止し、乾燥ノズルを所定の位置に戻し、乾燥工程を終了する。
【００２５】
この乾燥工程において、洗車機は、上面洗浄ブラシ８を微速で回転させる。上面洗浄ブラシ８を回転させるモータ２２は、インバーター２８によってその回転速度を制御され、洗浄工程では高速で回転し、乾燥工程ではゆっくりとした速度で回転する。図８に示すように、上面洗浄ブラシ８が洗浄水を含んだまま停止していると、洗浄水Ｗは上面洗浄ブラシ８の下方に集まり、水滴となって自動車Ａ車体に落下して洗浄水の付着を多くし、乾燥ノズル１２による乾燥の妨げとなる。図９（ｂ）に示すように、上面洗浄ブラシ８を微速で回転させておくと、図９（ａ）に示すように上面洗浄ブラシ８の下方に集まってきた洗浄水Ｗは、水滴となって落下する前に図９（ｂ）に示すように上方に移動され、図９（ｃ）に示すように再び下方に向かう。上面洗浄ブラシ８を微速で回転させ続けるとこの動作が繰り返され、上面洗浄ブラシ８に含まれた洗浄水は、上面洗浄ブラシ８に保持される。これにより、上面洗浄ブラシ８に含まれた洗浄水Ｗは水滴となって自動車Ａ車体に落下することなく、従って自動車Ａ車体に付着した水滴の量を増やすことが無く、上面乾燥ノズル１２による乾燥の効果を高めることができる。
【００２６】
乾燥工程が終了した後、図１０（ａ）に示すように、洗車機は上面洗浄ブラシ８を微速で回転させる。図１０（ｂ）に示すように、自動車Ａは前方に進み、洗車機本体１をくぐり抜けて洗車機の洗車スペースより退出する。退出を開始した自動車Ａは、退出検出用光電スイッチ３２ａ，３２ｂにより検出される。図１０（ｃ）に示すように、自動車Ａが退出を完了し退出検出用光電スイッチ３２ａ，３２ｂが自動車Ａ車体を検出しなくなると、洗車機は上面洗浄ブラシ８の回転を停止する。このように、乾燥工程終了後も、自動車が洗車機をくぐり抜けて洗車スペースから退出する間、上面洗浄ブラシの回転を継続しておけば、洗車機から自動車が確実に退出するまで上面洗浄ブラシからの水滴の落下を防ぐことができる。
【００２７】
なお、本発明は、前記実施例に限定されるものではなく、特許請求の範囲を逸脱することなく、種々の設計変更を行うことができる。例えば乾燥工程終了後の所定期間、タイマーで上面洗浄ブラシの微速での回転を継続してやれば、自動車の退出検出用光電スイッチを設けなくてもよい。
【００２８】
【発明の効果】
以上のように本発明は、門型に形成された洗車機本体内に、洗浄ブラシ，散水ノズル，乾燥ノズル等の洗車処理装置を備え、洗車機本体または自動車の往復走行に伴い、自動車車体の洗浄，乾燥等の処理を行う洗車機であって、上面洗浄ブラシを備え、一方向への走行を一単位の工程として、前記上面洗浄ブラシを含む洗浄ブラシによる洗浄工程を行った後、乾燥ノズルによる乾燥工程を行う洗車機において、前記上面洗浄ブラシの回転数を制御する手段を備え、該制御手段は、乾燥工程時に、前記上面洗浄ブラシを該ブラシに含まれる洗浄水が水滴となって滴下しないような微速で回転するようにしたので、上面洗浄ブラシに付着した洗浄水を落下させることなく上面洗浄ブラシに保持でき、乾燥工程で自動車車体に水滴となって落下することを防げ、乾燥性能を向上させることができる。
【００２９】
また、本発明は、門型に形成された洗車機本体内に、洗浄ブラシ，散水ノズル，乾燥ノズル等の洗車処理装置を備え、洗車機本体または自動車の往復走行に伴い、自動車車体の洗浄，乾燥等の処理を行う洗車機であって、上面洗浄ブラシを備え、一方向への走行を一単位の工程として、前記上面洗浄ブラシを含む洗浄ブラシによる洗浄工程を行った後、乾燥ノズルによる乾燥工程を行う洗車機において、前記上面洗浄ブラシの回転数を制御する手段を備え、該制御手段は、乾燥工程終了後の所定期間、前記上面洗浄ブラシを該ブラシに含まれる洗浄水が水滴となって滴下しないような微速で回転するようにしたので、ドライブスルー洗車機において、洗車が終了した後に自動車が洗車機をくぐり抜けて洗車スペースより退出する時にも、上面洗浄ブラシからの水滴の落下を防ぐことができる。
【００３０】
また、布状の毛材で構成される上面洗浄ブラシを備える洗車機に本発明を用いれば、布状の毛材に含まれている洗浄水はすぐには滴下せず、時間の経過と共にゆっくりと溜まり水滴となって落下するので、上面洗浄ブラシを微速で回転させておくと、水滴の落下防止の効果が高い。
【図面の簡単な説明】
【図１】本発明の実施例の側面説明図である。
【図２】本発明の実施例の正面説明図である。
【図３】本発明の実施例の上面洗浄ブラシの構成を示す説明図である。
【図４】本発明の実施例の上面洗浄ブラシの構成を示す説明図である。
【図５】本発明の実施例の制御系を示す説明図である。
【図６】本発明の実施例の動作説明図である。
【図７】本発明の実施例の動作説明図である。
【図８】本発明の実施例の動作説明図である。
【図９】本発明の実施例の動作説明図である。
【図１０】本発明の実施例の動作説明図である。
【符号の説明】
１  洗車機本体
８  上面洗浄ブラシ
２２  上面洗浄ブラシ回転用モータ
２４  洗車機を制御するマイクロコンピュータ
２８  上面洗浄ブラシ回転数制御用インバータ
２９  毛材
３２ａ，３２ｂ  自動車退出検出用光電スイッチ
【図１】
0003641536.tif 000002
【図２】
0003641536.tif 000003
【図３】
0003641536.tif 000004
【図４】
0003641536.tif 000005
【図５】
0003641536.tif 000006
【図６】
0003641536.tif 000007
【図７】
0003641536.tif 000008
【図８】
0003641536.tif 000009
【図９】
0003641536.tif 000010
【図１０】
0003641536.tif 000011